(57)【要約】      （修正有）【課題】原稿浮きの検出精度の低下を防ぐ読取装置を提供する。【解決手段】原稿台上の原稿を光学的に読み取る読取部に設けられた静電容量検出センサ３０８により、原稿台との間の静電容量を検出する。検出される静電容量値は原稿の浮き量に比例するので、原稿台上で原稿が配置された領域において検出された静電容量の変化に応じて、その変化を打ち消すように原稿の読取動作を制御することで補正する。具体的には原稿読取位置における静電容量の平均値を算出し、それに応じて読取値のゲインあるいは、その位置での読取光量を変えることで補正する。【選択図】図５
2016009876.tif 000002
【特許請求の範囲】
【請求項１】
原稿台上の原稿を光学的に読み取る読取手段と、
前記読取手段に設けられ、前記原稿台との間の静電容量を検出する検出手段と、
前記原稿台上で前記原稿が配置された領域において前記検出手段が検出した静電容量の変化に応じて、前記原稿の読取動作を制御する制御手段と、
を備えることを特徴とする読取装置。
【請求項２】
前記制御手段は、前記読取手段が前記原稿を読み取って出力した読取データを補正することを特徴とする請求項１に記載の読取装置。
【請求項３】
前記制御手段は、前記検出手段が検出した静電容量の変化が大きいほど、前記読取データの輝度補正の程度を大きくすることを特徴とする請求項２に記載の読取装置。
【請求項４】
前記制御手段は、前記読取手段の光源の発光量を制御することを特徴とする請求項１に記載の読取装置。
【請求項５】
前記制御手段は、前記検出手段が検出した静電容量の変化が大きいほど、前記読取手段の光源の発光量を大きくすることを特徴とする請求項４に記載の読取装置。
【請求項６】
前記制御手段は、前記読取手段の移動に伴って、前記読取手段の光源の発光量を制御することを特徴とする請求項４又は５に記載の読取装置。
【請求項７】
前記検出手段が検出した静電容量に基づいて、前記読取手段の現在位置における受光部の蓄積電荷量を算出する算出手段、をさらに備え、
前記制御手段は、前記算出手段が算出した蓄積電荷量に基づいて、前記読取手段の現在位置における光源の発光量を制御することを特徴とする請求項６に記載の読取装置。
【請求項８】
前記受光部は、イメージセンサであり、
前記制御手段は、複数のイメージセンサについて前記検出手段が検出した前記原稿台との間の静電容量の平均値の変化に応じて、前記原稿の読取動作を制御することを特徴とする請求項７に記載の読取装置。
【請求項９】
前記検出手段が検出した静電容量の、前記原稿台上で前記原稿が配置されていない領域において検出された静電容量との差を取得する取得手段、をさらに備え、
前記制御手段は、前記取得手段が取得した差の変化に応じて、当該変化を打ち消すように前記原稿の読取動作を制御することを特徴とする請求項１乃至８のいずれか１項に記載の読取装置。
【請求項１０】
前記原稿台上で前記原稿が配置されていない領域において、前記原稿台との間の静電容量を検出する第２の検出手段、をさらに備え、
前記取得手段は、前記検出手段が検出した静電容量の、前記第２の検出手段が検出した静電容量との差を取得することを特徴とする請求項９に記載の読取装置。
【請求項１１】
原稿台上の原稿を光学的に読み取る読取手段を備える読取装置において実行される制御方法であって、
前記読取手段に設けられ、前記原稿台との間の静電容量を検出する検出工程と、
前記原稿台上で前記原稿が配置された領域において前記検出工程で検出した静電容量の変化に応じて、当該変化を打ち消すように前記原稿の読取動作を制御する制御工程と、
を有することを特徴とする制御方法。
【発明の詳細な説明】
【技術分野】
【０００１】
本発明は、原稿を光学的に読み取る読取装置および制御方法に関する。
【背景技術】
【０００２】
ファクシミリに搭載される画像読取装置では、原稿読取面を、光源及びリニアイメージセンサを備えたイメージセンサユニットに対して相対的に移動させて原稿画像を光学的に読み取る。読取対象の原稿には、表面が均一に平面ではない場合や、折り目がついた原稿の場合がある。つまり、読取基準面に対する原稿読取面の垂直方向変位が適正な大きさ（通常はゼロ）でない場合（いわゆる「原稿浮き」状態）や、その大きさが一定とならない場合がある。そのような場合には、光源からの光が十分な光量で反射されず、その結果、イメージセンサの蓄積電荷量が不足して、本来の出力レベルより低いレベルで読取信号が出力されてしまう。これは、いわゆる「黒ずみ」という現象である。
【０００３】
「黒ずみ」を低減若しくは解消するために、特許文献１では、読取部による画像読取の際に、反射光による距離検出センサが作動して原稿の浮き上がりを検出する。この原稿の浮き上がりが検出されると、光学レンズのフォーカシングが調整される。ここで、フォーカシング調整の方法としては、レンズ駆動部材によって光学レンズの焦点合わせを行なう方法と、レンズ絞り部材によって光学レンズの絞り込みの度合を調節して被写体深度を深くする方法とがある。レンズ絞り部材によってフォーカシング調整をする場合には、光学レンズの絞り込みによる光量不足を補うために光源部材をレンズ絞り部材と連動させ、光学レンズを絞り込んだときは光源部材の出力が大きくなるようにする。また、光源部材を構成する蛍光灯は、周波数制御部により周波数が変換されることで、光源部材の出力が変更される。特許文献１では、そのような構成により「黒ずみ」を補正している。
【先行技術文献】
【特許文献】
【０００４】
【特許文献１】特開平５−６３９１０号公報
【発明の概要】
【発明が解決しようとする課題】
【０００５】
しかしながら、特許文献１に記載の距離検出センサは、発光素子から照射された光の反射光を受光素子で受光する構成に基づいている。従って、例えば、外部から環境光が侵入した場合には、その光の影響により距離検出センサが正確に距離を測定できないという問題がある。
【０００６】
本発明の目的は、このような従来の問題点を解決することにある。上記の点に鑑み、本発明は、原稿浮きの検出精度の低下を防ぐ読取装置および制御方法を提供することを目的とする。
【課題を解決するための手段】
【０００７】
上記課題を解決するため、本発明に係る読取装置は、原稿台上の原稿を光学的に読み取る読取手段と、前記読取手段に設けられ、前記原稿台との間の静電容量を検出する検出手段と、前記原稿台上で前記原稿が配置された領域において前記検出手段が検出した静電容量の変化に応じて、前記原稿の読取動作を制御する制御手段と、を備えることを特徴とする。
【発明の効果】
【０００８】
本発明によれば、原稿浮きの検出精度の低下を防ぐことができる。
【図面の簡単な説明】
【０００９】
【図１】画像読取装置を含む画像形成装置の外観斜視図である。
【図２】画像形成装置の内部構成の概要を示す図である。
【図３】画像読取装置の原稿台ガラス周辺の構成を示す図である。
【図４】読取装置を上方から見た図である。
【図５】読取装置を制御するブロック構成を示す図である。
【図６】静電容量の検出を説明するための図である。
【図７】静電容量の差ΔＣＸの副走査方向の位置に対する特性を表わす図である。
【図８】静電容量の差ΔＣＸと輝度補正に用いる補正係数との関係を示す図である。
【図９】蓄積電荷量の調整処理の動作を説明するための図である。
【図１０】原稿範囲の静電容量検出センサを特定する処理の手順を示す図である。
【図１１】副走査方向の各位置のΔＣＸの平均値を示す図である。
【図１２】蓄積電荷量の調整処理の手順を示す図である。
【発明を実施するための形態】
【００１０】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１１】
［第１の実施形態］
図１は、画像読取装置を含む画像形成装置の外観斜視図であり、図２は、画像形成装置の内部構成の概要を示す図である。以下、図１及び図２を参照しながら、画像形成装置の構成について説明する。図１に示すように、画像形成装置１００は、装置本体１０１と、装置本体１０１の上部に設けられた画像読取装置１０２と、画像読取装置１０２の上部に設けられた自動原稿供給装置（ＡＤＦ、オートドキュメントフィーダ）１０３とを含む。自動原稿供給装置１０３は、ヒンジ機構が設けられており、ユーザ操作により矢印Ａ方向に開閉可能である。画像形成装置１００は、コピー機能、プリンタ機能、ファクシミリ機能、及びこれらの複合機能を実現可能ないわゆるＭＦＰ（Ｍｕｌｔｉ  Ｆｕｎｃｔｉｏｎｎａｌ  Ｐｒｉｎｔｅｒ）である。しかしながら、図１に示すような構成ではなく、画像読取装置１０２が単独のスキャナとして構成される場合もある。
【００１２】
装置本体１０１は、画像読取装置１０２が光学的に原稿を読み取って生成した読取データに基づいてシート（記録媒体）に画像を形成する。画像形成とは、例えば印刷処理である。画像読取装置１０２は、画像を読み取って生成した読取データを装置本体１０１に組み込まれた記録装置本体１０５に送る。記録装置本体１０５は、例えば、ＬＥＤアレイを使用した電子写真記録方式や、インクジェット記録ヘッドを用いたインクジェット記録方式の記録装置（プリンター）である。図１では、記録装置本体１０５が電子写真記録方式の記録装置として説明する。図１の操作部１０６は、表示部、入力キー等を備えており、ユーザによる画像形成装置１００への指示操作を受け付けたり、また、画像形成装置１００の電源状態や、ジョブ実行状況等を表示したりする。
【００１３】
また、装置本体１０１は、ＬＥＤ記録ヘッドユニット２０１、画像形成部２０２、カセット給紙部２０３、記録装置本体１０５の上部にシートＰを複数枚積載可能なように構成された記録シート排紙部２０４、カートリッジカバー部２０５を含む。また、装置本体１０１は、画像読取装置１０２と記録装置本体１０５とを接合する接合部２０６、ファクシミリ機能を有する装置の制御部２０７、両面搬送部カバー２０８、搬送方向切換部２０９、レジスト搬送部２１０を含む。また、装置本体１０１は、記録装置本体１０５内部に配置されたＭＰ（マルチペーパー）給紙部２１１、両面搬送部２１２を含む。
【００１４】
自動原稿供給装置１０３は、原稿載置台１０４に置かれたシート原稿を１枚ずつ分離して画像読取装置１０２に供給する。画像読取装置１０２は、自動原稿供給装置１０３により流し読みガラス２１３上に送り込まれるシート原稿をイメージセンサユニット２１４で読み取る。また、画像読取装置１０２は、原稿台ガラス２１５上に置かれたシート原稿或いはブック原稿を、ライン型イメージセンサユニット２１４を副走査方向に移動させながら読み取る。副走査方向は、図２における左右方向である。また、主走査方向は、副走査方向に対して直交する方向であり、図１における矢印Ｂ方向である。主走査方向は、ライン型イメージセンサユニット２１４のライン方向に対応する。自動原稿供給装置１０３は、ＡＤＦ分離部２２０、排紙搬送部２１６、原稿排紙部２１７、ブック原稿を押圧する原稿押え板２１８、シート原稿搬送部２１９を含む。
【００１５】
図３は、画像読取装置１０２の原稿台ガラス２１５周辺の構成を示す図である。図３の透明ガラス３０３が図２の原稿台ガラス２１５に対応し、読取装置３０５がライン型イメージセンサユニット２１４に対応する。平面走査ユニット３０２は、読取装置３０５を移動方向（副走査方向）に原稿台ガラス２１５に対して相対的に移動させて原稿３０１を読み取る。読取の際には、イメージセンサ３０７（受光部の一例）は、光源３０６から照射された光が原稿３０１で反射した反射光を受光する。
【００１６】
静電容量検出センサ３０８は、透明ガラス３０３の原稿読取面３０４との間の静電容量を検出する静電容量センサである。また、基準静電容量検出センサ３０９は、静電容量検出センサ３０８で検出された静電容量を用いて後述のキャリブレーションを行うための基準静電容量を検出する。基準静電容量検出センサ３０９は、原稿３０１が配置されない原稿範囲外の領域に対応した位置に設けられている。以下、原稿３０１が配置された領域を、読取装置３０５により走査が行われる走査有効範囲ともいう。
【００１７】
図４は、読取装置３０５を上方から見た図である。図３に示すように、静電容量検出センサ３０８は、複数（例えば、ｎ個）の静電容量検出センサが主走査方向に沿って配置されている。以下、主走査方向の複数の静電容量検出センサを静電容量検出センサ３０８といい、各センサについては、単に静電容量検出センサという。静電容量検出センサの個数は特に限定されないが、読取装置３０５の主走査方向の幅に渡って配置される。従って、静電容量検出センサ３０８の検出範囲に、原稿３０１の主走査方向の幅が含まれることになる。
【００１８】
図５は、読取装置３０５を制御するブロック構成を示す図である。制御部５０１は、静電容量検出センサ３０８と基準静電容量検出センサ３０９からの検出信号に基づいて、後述のように、画像読取装置１０２の読取動作を制御する。浮き量検出部５０２は、静電容量検出センサ３０８と基準静電容量検出センサ３０９から出力された静電容量を示す検出信号を用いて、原稿３０１の浮き量を検出する。読取装置制御部５０３は、読取装置３０５の読取動作を制御する。本実施形態では、例えば、読取装置３０５のイメージセンサ３０７の蓄電電荷量を調整する。メモリ５０４は、読取装置３０５が読み取った原稿３０１の画像データ（読取データ）と、浮き量検出部５０２が検出した浮き量情報とを記憶する。ＣＰＵ５０５は、浮き量検出部５０２、読取装置制御部５０３、メモリ５０４を統括的に制御し、原稿３０１の浮き量に応じた読取制御を行う。
【００１９】
また、制御部５０１は、不図示のＲＯＭやＲＡＭを有しており、ＲＯＭには、画像読取装置１０２が動作するための基本プログラムや各種設定データ等が格納されている。ＣＰＵ５０５は、ＲＯＭに格納されているプログラムをＲＡＭに読み出して実行することにより、本実施形態の動作を実現することができる。
【００２０】
図６は、静電容量の検出を説明するための図である。図６は、走査有効範囲内で且つ透明ガラス３０３上に、折り目のある原稿３０１を置き、画像読取を行う場合を示している。その場合、図６に示すように、原稿３０１の折り目が浮き上がり、原稿３０１が透明ガラス３０３に密着する密着部分３０１ａと、原稿３０１が透明ガラス３０３に密着しない非密着部分３０１ｂとが生じる。
【００２１】
画像読取を開始すると、読取装置３０５は副走査方向に移動し、その移動に伴って、静電容量検出センサ３０８は、静電容量検出センサ３０８と原稿読取面３０４との間の静電容量ＣＸを検出する。一方、基準静電容量検出センサ３０９は、走査有効範囲外において、基準静電容量検出センサ３０９と原稿読取面３０４との間の静電容量ＣＢを検出する。  図７は、静電容量ＣＸと静電容量ＣＢとの差の、副走査方向の位置に対する特性を表わす図である。原稿３０１が静電容量検出センサ３０８に近い程、紙原稿そのものに蓄積される電荷量のために、静電容量検出センサ３０８が検出する静電容量ＣＸは大きくなる特性がある。浮き量検出部５０２は、読取装置３０５の移動に伴い、静電容量検出センサ３０８の静電容量ＣＸと基準静電容量検出センサ３０９の静電容量ＣＢとの静電容量の差を、副走査位置に対応付けて取得する。
【００２２】
図７の区間（１）は、原稿３０１が置かれていない領域である。区間（１）では、静電容量検出センサ３０８と基準静電容量検出センサ３０９とが検出する静電容量はほぼ同じとなるので、差はほぼゼロである。区間（２）では、読取装置３０５の移動方向に向かって、原稿３０１が次第に浮き上がる区間である。図６の密着部分３０１ａでは、静電容量ＣＸが大きくなり、その結果、静電容量ＣＸと静電容量ＣＢの差ΔＣＸは大きくなる。また、原稿３０１が浮き上がっていくにつれて、原稿３０１は静電容量検出センサ３０８から遠ざかるので、ΔＣＸは次第に小さくなっていく。しかしながら、原稿３０１の折り目を境として、再び、原稿３０１は静電量検出センサ３０８に近づいていくので、ΔＣＸは次第に大きくなっていく（区間（３））。原稿３０１が置かれている領域外では、静電容量検出センサ３０８と基準静電容量検出センサ３０９の静電容量の差ΔＣＸは、再びほぼゼロとなる。
【００２３】
本実施形態では、静電容量検出センサ３０８と基準静電容量検出センサ３０９の静電容量の差ΔＣＸを、原稿３０１の浮き量を表わすパラメータとして用いる。本実施形態では、制御部５０１は、静電容量の差ΔＣＸを用いて、読取装置３０５が読み取った画像情報の輝度補正を行う。
【００２４】
図８は、静電容量の差ΔＣＸと、輝度補正に用いる補正係数との関係を示す図である。原稿３０１が置かれている走査有効範囲における主走査方向の位置をｘとし、副走査方向の位置をｙとする。そして、輝度補正前の座標（ｘ，ｙ）における画素の輝度値をｆ（ｘ，ｙ）、座標（ｘ，ｙ）における補正係数をＫ（ｘ，ｙ）、補正後の輝度値をｆ’（ｘ，ｙ）とすると、以下の式（１）が成り立つ。
【００２５】
ｆ’（ｘ，ｙ）＝Ｋ（ｘ，ｙ）×ｆ（ｘ，ｙ）  ・・・（１）
図８に示すΔＣ（ｘ，ｙ）は、座標（ｘ，ｙ）におけるΔＣＸである。また、ΔＣＸが０のときの補正係数をｋｓとし、ΔＣＸの最大値をΔＣｍａｘとすると、補正係数Ｋ（ｘ，ｙ）は、以下の式（２）のように表わされる。
【００２６】
Ｋ（ｘ，ｙ）＝ΔＣ（ｘ，ｙ）×（１−ｋｓ）／ΔＣｍａｘ＋ｋｓ  ・・・（２）
図８に示されるように、ΔＣ（ｘ，ｙ）が小さい程、即ち、原稿３０１が原稿読取面３０４から離れているほど、補正係数Ｋ（ｘ，ｙ）が大きくなる。従って、式（１）から、補正後の輝度値ｆ’（ｘ，ｙ）として明るめに補正され、その結果、原稿浮きによる黒ずみが軽減される。本実施形態においては、補正係数ｋｓの値を操作部１０６のユーザインタフェース画面上で任意に設定可能にすることによって、黒ずみの軽減具合を調整するようにしても良い。
【００２７】
［第２の実施形態］
第１の実施形態では、静電容量検出センサ３０８と基準静電容量検出センサ３０９との静電容量の差ΔＣＸを浮き量を表わすパラメータとして用い、浮き量が大きいほど、読み取られた画像情報を明るめに輝度補正していた。本実施形態では、浮き量に応じてイメージセンサ３０７の蓄積電荷量を調整する。以下、第１の実施形態と異なる部分について説明する。
【００２８】
図９は、本実施形態におけるイメージセンサの蓄積電荷量の調整処理の動作を説明するための図である。本実施形態では、まず、読取装置３０５に設けられている静電容量検出センサ３０８のうち、原稿範囲に属する（原稿３０１直下の）静電容量検出センサを特定する。そして、特定された静電容量検出センサそれぞれのΔＣＸの主走査方向の平均値を算出する。読取装置３０５が読取動作のために副走査方向に移動するに伴い、ΔＣＸの主走査方向の平均値は、図７に示す傾向で変化していく。本実施形態では、その変化量に応じて、順次、イメージセンサ３０７の蓄積電荷量を調整する。
【００２９】
図１０は、原稿範囲に属する静電容量検出センサを特定する処理の手順を示すフローチャートである。読取装置３０５が読取動作においてある副走査方向上の位置にあるとすると、静電容量検出センサのΔＣＸが予め定められた閾値ｔｈより大きいか否かを判定する（Ｓ１００１）。ここで、閾値ｔｈより大きいと判定された場合には、その静電容量検出センサは、蓄積電荷量の調整処理の対象として決定する（Ｓ１００２）。一方、閾値ｔｈ以下であると判定された場合には、その静電容量検出センサは、原稿範囲外にあるということなので、蓄積電荷量の調整処理の対象とせず、他の静電容量検出センサを図１０の処理対象として、Ｓ１００１の処理から繰り返す。
【００３０】
図１１は、蓄積電荷量の調整処理の対象となった静電容量検出センサの副走査方向の各位置ｙ及びｙ＋１におけるΔＣＸの主走査方向の平均値を示す図である。図１１では、読取装置３０５が副走査方向上の位置ｙから位置ｙ＋１の方向に移動しながら読取動作が行われる。図１１は、位置１１０１（ｙ）に位置する読取装置３０５と、位置１１０２（ｙ＋１）に位置する読取装置３０５が示されている。位置１１０１及び１１０２について、斜線で表わされた静電容量検出センサが、図１０のＳ１００２で蓄積電荷量の調整処理の対象と決定された静電容量検出センサである。
【００３１】
本実施形態では、位置１１０１（ｙ）について、蓄積電荷量の調整処理の対象となる静電容量検出センサを検出し、各ΔＣＸの主走査方向の平均値ΔＣａｖｅ＿ｙが算出される。ＣＰＵ５０５は、その平均値ΔＣａｖｅ＿ｙをメモリ５０４に格納する。また、位置１１０２（ｙ＋１）について、蓄積電荷量の調整処理の対象となる静電容量検出センサを検出し、各ΔＣＸの主走査方向の平均値ΔＣａｖｅ＿ｙ＋１が算出される。ＣＰＵ５０５は、その平均値ΔＣａｖｅ＿ｙ＋１をメモリ５０４に格納する。そして、ＣＰＵ５０５は、ΔＣａｖｅ＿ｙとΔＣａｖｅ＿ｙ＋１を用いて、位置１１０１（ｙ）のイメージセンサ３０７の蓄積電荷量に基づいて、位置１１０２のイメージセンサ３０７の蓄積電荷量を調整する。
【００３２】
図１２は、本実施形態における蓄積電荷量の調整処理の手順を示すフローチャートである。本処理前には、読取装置３０５が位置１１０１にあるとする。また、メモリ５０４やＲＡＭ等に、読取装置３０５の副走査方向上の位置を示すパラメータｙが確保される。
【００３３】
Ｓ１２０１において、ＣＰＵ５０５は、図１０のＳ１００２で蓄積電荷量の調整処理の対象と決定された静電容量検出センサがあるか否かを判定する。ここで、あると判定された場合には、Ｓ１２０２に進む。一方、ないと判定された場合には、ＣＰＵ５０５は、読取装置３０５を副走査方向に所定の移動量分移動させ、Ｓ１２０１の処理を繰り返す。
【００３４】
Ｓ１２０２において、ＣＰＵ５０５は、蓄積電荷量の調整処理の対象となった静電容量検出センサのΔＣＸの主走査方向の平均値ΔＣａｖｅ＿ｙを算出する。そして、Ｓ１２０３において、ＣＰＵ５０５は、ΔＣａｖｅ＿ｙをメモリ５０４に格納する。ＣＰＵ５０５は、Ｓ１２０３の処理後、読取装置３０５を副走査方向に所定の移動量分移動させる。
【００３５】
次に、Ｓ１２０４において、ＣＰＵ５０５は、副走査方向上の位置１１０２が走査有効範囲（原稿範囲）であるか否かを判定する。ここで、Ｓ１２０４の判定は、Ｓ１２０１と同様に、位置１１０２において蓄積電荷量の調整処理の対象と決定された静電容量検出センサがある場合に走査有効範囲であると判定しても良い。Ｓ１２０４において、走査有効範囲であると判定された場合にはＳ１２０５に進み、走査有効範囲でないと判定された場合には図１２の処理を終了する。
【００３６】
Ｓ１２０５において、ＣＰＵ５０５は、位置１１０２において蓄積電荷量の調整処理の対象となった静電容量検出センサのΔＣＸの主走査方向の平均値ΔＣａｖｅ＿ｙ＋１を算出する。Ｓ１２０６において、Ｓ１２０２で算出したΔＣａｖｅ＿ｙと、Ｓ１２０５で算出したΔＣａｖｅ＿ｙ＋１とに基づいて、イメージセンサ３０７の蓄積電荷量の調整を行う。
【００３７】
副走査方向の位置１１０１におけるイメージセンサ３０７の蓄積電荷量をＬＴｙとすると、位置１１０２におけるイメージセンサ３０７の蓄積電荷量ＬＴｙ＋１は、ΔＣａｖｅ＿ｙとΔＣａｖｅ＿ｙ＋１を用いて、以下の式（３）のように求められる。
【００３８】
ＬＴｙ＋１＝ＬＴｙ×（１＋ΔＣａｖｅ＿ｙ）／（１＋ΔＣａｖｅ＿ｙ＋１）  ・・・（３）
つまり、位置１１０２において位置１１０１より静電容量が小さくなる場合には、位置１１０２におけるイメージセンサ３０７の蓄積電荷量を大きくするように調整する。そのために、例えば、ＣＰＵ５０５は、位置１１０２において、光源３０６の点灯時間を位置１１０１より長くしたり、光源３０６の駆動電流を大きくして発光量を位置１１０１よりも明るくする。反対に、位置１１０２において位置１１０１より静電容量が大きくなる場合には、位置１１０２における蓄積電荷量を小さくするように調整する。そのために、例えば、ＣＰＵ５０５は、位置１１０２において、光源３０６の点灯時間を位置１１０１より短くしたり、光源３０６の駆動電流を小さくして発光量を位置１１０１よりも暗くする。
【００３９】
Ｓ１２０７において、副走査方向上の位置ｙ＋１をｙとし、ΔＣａｖｅ＿ｙ＋１をΔＣａｖｅ＿ｙとして、Ｓ１２０３からの処理を繰り返す。その結果、図１２に示す処理により、原稿範囲全域に渡って、図１２の各処理を行うことが可能である。
【００４０】
以上のような処理によって、原稿の浮き量に応じてイメージセンサ３０７の蓄積電荷量を調整することができ、その結果、原稿の浮きにより生じる黒ずみを軽減することができる。
【図１】
2016009876.tif 000003
【図２】
2016009876.tif 000004
【図３】
2016009876.tif 000005
【図４】
2016009876.tif 000006
【図５】
2016009876.tif 000007
【図６】
2016009876.tif 000008
【図７】
2016009876.tif 000009
【図８】
2016009876.tif 000010
【図９】
2016009876.tif 000011
【図１０】
2016009876.tif 000012
【図１１】
2016009876.tif 000013
【図１２】
2016009876.tif 000014